(57)【要約】【課題】作業性を向上させること。【解決手段】ユニットカーテンウォール１は、複数の枠部材３０１〜３０６が枠組みされ、建物躯体に吊下げ支持可能な枠体３と、枠体３に支持される第１パネル４とを備える。第１パネル４は、押出成形セメント板で構成されている。【選択図】図１
2019044557.tif 000002
【特許請求の範囲】
【請求項１】
複数の枠部材が枠組みされ、建物躯体に吊下げ支持可能な枠体と、
前記枠体に支持される第１パネルとを備え、
前記第１パネルは、
押出成形セメント板で構成されている
ことを特徴とするユニットカーテンウォール。
【請求項２】
前記枠体に支持され、前記第１パネルに対して見付け方向に並設される第２パネルをさらに備え、
前記第２パネルは、
ガラス材で構成されている
ことを特徴とする請求項１に記載のユニットカーテンウォール。
【請求項３】
前記枠体に支持され、前記第１パネルに対して見付け方向に並設される第２パネルをさらに備え、
前記第２パネルは、
押出成形セメント板で構成されている
ことを特徴とする請求項１に記載のユニットカーテンウォール。
【請求項４】
前記枠体に支持され、前記第１パネルに対して室内側に並設される止水板をさらに備える
ことを特徴とする請求項１〜３のいずれか一つに記載のユニットカーテンウォール。
【請求項５】
前記第１パネル及び前記枠体間は、
シール材にて止水され、
前記第１パネルの端面には、
隣接される他の前記ユニットカーテンウォールを構成する前記第１パネルとの間の目地部を封止するレインバリアが設けられている
ことを特徴とする請求項１〜４のいずれか一つに記載のユニットカーテンウォール。
【発明の詳細な説明】
【技術分野】
【０００１】
本発明は、ユニットカーテンウォールに関する。
【背景技術】
【０００２】
従来、押出方向に連続する中空部を幅方向に複数有し、軽量であり、耐火性にも優れることから、建物の外壁材として押出成形セメント板が多く用いられている（例えば、特許文献１参照）。このような押出成形セメント板（外壁材）の施工方法では、建物周囲に設置した足場を利用して、以下に示すように押出成形セメント板を建物躯体に取り付ける。
先ず、現場において、建物躯体に下地鋼材を取り付ける。そして、押出成形セメント板に取り付けられたクリップによって当該押出成形セメント板を下地鋼材に取り付ける。
【先行技術文献】
【特許文献】
【０００３】
【特許文献１】特開２００９−１３３１０７号公報
【発明の概要】
【発明が解決しようとする課題】
【０００４】
しかしながら、従来の押出成形セメント板の施工方法では、現場で建物躯体に下地鋼材を取り付ける作業等が必要となる。また、高層建築においては、足場を容易に設けることができない。したがって、押出成形セメント板を外壁材として施工するにあたって、作業性が悪い、という問題がある。
【０００５】
本発明は、上記実情に鑑みて、作業性を向上させることができるユニットカーテンウォールを提供することを目的とする。
【課題を解決するための手段】
【０００６】
上記目的を達成するため、本発明に係るユニットカーテンウォールは、複数の枠部材が枠組みされ、建物躯体に吊下げ支持可能な枠体と、前記枠体に支持される第１パネルとを備え、前記第１パネルは、押出成形セメント板で構成されていることを特徴とする。
本発明では、押出成形セメント板は、建物躯体に吊下げ支持可能なユニットカーテンウォールのパネルとして採用されている。このため、押出成形セメント板を外壁材として施工するにあたって、従来のように、現場で建物躯体に下地鋼材等を取り付ける必要がない。また、建物周囲に足場を設置する必要もない。したがって、本発明に係るユニットカーテンウォールによれば、押出成形セメント板を外壁材として施工するにあたって、作業性を向上させることができる、という効果を奏する。
【０００７】
また、本発明は、上述したユニットカーテンウォールにおいて、前記枠体に支持され、前記第１パネルに対して見付け方向に並設される第２パネルをさらに備え、前記第２パネルは、ガラス材で構成されていることを特徴とする。
本発明では、ユニットカーテンウォールは、押出成形セメント板で構成された第１パネルの他、当該第１パネルに対して見付け方向に並設されるガラス材で構成された第２パネルを備える。このため、建物の壁部及び窓部を別々の工事区分に分けることなく、同一の工事区分（ユニットカーテンウォールの施工）とすることができ、作業性をさらに向上させることができる。
【０００８】
また、本発明は、上述したユニットカーテンウォールにおいて、前記枠体に支持され、前記第１パネルに対して見付け方向に並設される第２パネルをさらに備え、前記第２パネルは、押出成形セメント板で構成されていることを特徴とする。
本発明では、ユニットカーテンウォールは、押出成形セメント板で構成された第１パネルの他、当該第１パネルに対して見付け方向に並設される押出成形セメント板で構成された第２パネルを備える。このため、複数の外壁材（押出成形セメント板）を一括して施工することができ、作業性をさらに向上させることができる。
【０００９】
また、本発明は、上述したユニットカーテンウォールにおいて、前記枠体に支持され、前記第１パネルに対して室内側に並設される止水板をさらに備えることを特徴とする。
ところで、押出成形セメント板は、その製法により、表裏面や端面の面精度が比較的に高いものである。このため、枠体と押出成形セメント板との間は、シール材等を用いることにより、室内側への漏水対策を施すことができる。
本発明では、ユニットカーテンウォールは、押出成形セメント板で構成された第１パネル板に対して室内側に止水板が並設されている。このため、上述した枠体と第１パネルとの間に設けたシール材等と当該止水板とを併用することで、室内側への漏水対策を十分に施すことができる。
【００１０】
また、本発明は、上述したユニットカーテンウォールにおいて、前記第１パネル及び前記枠体間は、シール材にて止水され、前記第１パネルの端面には、隣接される他の前記ユニットカーテンウォールを構成する前記第１パネルとの間の目地部を封止するレインバリアが設けられていることを特徴とする。
ところで、第１パネル及び枠体間をシール材にて止水した場合には、隣接される他のユニットカーテンウォールを構成する第１パネルとの間の目地部を介して、当該シール材が汚染されてしまう虞がある。
本発明では、第１パネルの端面には、隣接される他のユニットカーテンウォールを構成する第１パネルとの間の目地部を封止するレインバリアが設けられている。このため、当該レインバリアにより、シール材の汚染を防止することができる。
【発明の効果】
【００１１】
本発明に係るユニットカーテンウォールによれば、作業性を向上させることができる、という効果を奏する。
【図面の簡単な説明】
【００１２】
【図１】本実施の形態に係る第１，第２ユニットカーテンウォールを適用した建物を室外側から見た図である。
【図２】図１に示した建物の縦断面図である。
【図３】図１に示した建物の横断面図である。
【図４】図１に示したIV-IV線の断面図である。
【図５】図１に示したV-V線の断面図である。
【図６】図１に示したVI-VI線の断面図である。
【図７】図１に示したVII-VII線の断面図である。
【発明を実施するための形態】
【００１３】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１４】
図１は、本実施の形態に係る第１，第２ユニットカーテンウォール１，２を適用した建物を室外側から見た図である。図２及び図３は、図１に示した建物の縦断面図及び横断面図をそれぞれ示している。図４ないし図７は、図１に示したIV-IV線、V-V線、VI-VI線、及びVII-VII線の断面図をそれぞれ示している。
ここで例示する建物は、上下に複数層の床スラブＢを備え、上層の床スラブＢと下層の床スラブＢとの間にそれぞれ天井板材Ｃを配設することにより、天井板材Ｃよりも下方に居住空間Ｄ、天井板材Ｃよりも上方に天井裏空間Ｅを構成したものである。
そして、居住空間Ｄに対して上層となる床スラブＢ（当該床スラブＢに設けられたファスナーＦ）には、それぞれ複数の第１，第２ユニットカーテンウォール１，２が吊下げ支持されている。なお、床スラブＢは、本発明に係る建物躯体に相当する。また、複数の第１ユニットカーテンウォール１は、互いに共通の構成を有している。同様に、複数の第２ユニットカーテンウォール２は、互いに共通の構成を有している。
【００１５】
第１ユニットカーテンウォール１は、本発明に係るユニットカーテンウォールに相当し、天井裏空間Ｅ及び居住空間Ｄを覆うように配設される。より具体的に、第１ユニットカーテンウォール１は、上下方向に連続して複数並設されている。また、第１ユニットカーテンウォール１は、隣接する柱Ｇ同士の間において、水平方向に４つ並設されている。なお、当該４つの第１ユニットカーテンウォール１は、１つの第２ユニットカーテンウォール２を挟んで、２つずつに分けられ、当該２つずつの第１ユニットカーテンウォール１が水平方向に連続してそれぞれ並設されている。この第１ユニットカーテンウォール１は、第１枠体３と、第１パネル４と、第２パネル５とを備える。
【００１６】
第１枠体３は、本発明に係る枠体に相当する。この第１枠体３は、上枠材３０１、下枠材３０２、及び左右の縦枠材３０３，３０４を枠組みすることにより構成されている。
上枠材３０１は、上層の床スラブＢを構成する床材Ｈの上面に対応した高さとなる位置に位置付けられる。また、下枠材３０２は、下層の床スラブＢを構成する床材Ｈの上面に対応した高さとなる位置に位置付けられる。
これら上枠材３０１、下枠材３０２、及び左右の縦枠材３０３，３０４は、アルミニウム合金等の金属製の押出形材であり、全長に亘って略一様な断面形状を有する。本実施の形態では、上枠材３０１、下枠材３０２、及び左右の縦枠材３０３，３０４は、互いに略同一の断面形状を有し、互いの間が４５°の斜面を介して接合（留め継ぎ）されている。以下では、上枠材３０１、下枠材３０２、及び左右の縦枠材３０３，３０４で共通する構成を説明する際には単に「枠材３０」と総称し、それぞれに同一の符号を付す。また、説明の便宜上、見込み方向及び見付け方向等の用語を用いる。「見込み方向」とは、図中の矢印Ａｒで示すように、第１，第２ユニットカーテンウォール１，２の奥行きに沿った方向である。見込み方向に沿った面については、見込み面と称する場合がある。「見付け方向」とは、上枠材３０１及び下枠材３０２のように水平に沿った部材の場合、見込み方向に直交した上下に沿う方向であり、左右の縦枠材３０３，３０４のように上下に沿った部材の場合、見込み方向に直交した水平に沿う方向である。見付け方向に沿った面については、見付け面と称する場合がある。
【００１７】
枠材３０は、１つの主体部３１と、２つのブロック挿入部３２，３３とを備える。
主体部３１は、見付け方向に沿った寸法に対して見込み方向に沿った寸法が大きく設定された中空の直方体形状を有する。
２つのブロック挿入部３２，３３は、見付け方向に沿った寸法及び見込み方向に沿った寸法が互いに等しい中空の直方体形状を有し、主体部３１の室内側に位置する縁部及び室外側に位置する縁部にそれぞれ一体に設けられている。これら２つのブロック挿入部３２，３３の見付け方向に沿った寸法は、主体部３１よりも大きく設定されている。
そして、枠材３０において、第１枠体３の内周側となる見込み面３０ａは、主体部３１と両側のブロック挿入部３２，３３とで単一の平面となるように構成されている。一方、枠材３０において、第１枠体３の外周側となる部分は、主体部３１に対して両縁部のブロック挿入部３２，３３がそれぞれ突出した状態となっている。また、主体部３１及び２つのブロック挿入部３２，３３は、上枠材３０１、下枠材３０２、及び左右の縦枠材３０３，３０４を留め継ぎすることにより、それぞれが互いに隙間なく連通され、第１枠体３の内部に３つの独立した中空部３１ａ，３２ａ，３３ａを構成する。このうち、２つのブロック挿入部３２，３３によって構成される２つの中空部３２ａ，３３ａには、それぞれの四隅部にＬ字状の連結ブロック（図示略）が挿入される。
【００１８】
また、枠材３０において、第１枠体３の外周側となる主体部３１の見込み面３０ｂには、室外側に位置する部位及び室内側に位置する部位にそれぞれシール材保持溝３４，３５が設けられている。
シール材保持溝３４，３５は、枠材３０の長手方向に沿って延在する直線状の凹所であり、互いの間に隙間を確保するとともに、ブロック挿入部３２，３３との間にそれぞれ隙間を確保した位置に設けられている。本実施の形態では、見込み面３０ｂから一対の溝構成ヒレ部３４ａ及び一対の溝構成ヒレ部３５ａをそれぞれ突出させることにより、一対の溝構成ヒレ部３４ａの相互間、及び一対の溝構成ヒレ部３５ａの相互間にそれぞれシール材保持溝３４，３５が構成されている。
【００１９】
これらのシール材保持溝３４，３５は、上枠材３０１、下枠材３０２、及び左右の縦枠材３０３，３０４を留め継ぎした場合に互いに端部が連結されて一繋がりとなる。このうち、室外側のシール材保持溝３４には、無端状の１次シール材Ｓ１が装着されている。また、室内側のシール材保持溝３５には、無端状の２次シール材Ｓ２が装着されている。本実施の形態では、１次シール材Ｓ１として、シール基部Ｓ１ａから外周側に向けて接触ヒレ部Ｓ１ｂが突出した定形のものを採用している。また、２次シール材Ｓ２として、シール基部Ｓ２ａの外周部にチューブ状の圧接部Ｓ２ｂを有した定形のものを採用している。図からも明らかなように、圧接部Ｓ２ｂは、接触ヒレ部Ｓ１ｂよりも厚肉に構成されている。
【００２０】
そして、建物の外壁を構成すべく第１，第２ユニットカーテンウォール１，２を並設すると、隣接する第１ユニットカーテンウォール１同士、隣接する第２ユニットカーテンウォール２同士、及び隣接する第１，第２ユニットカーテンウォール１，２同士の間で、接触ヒレ部Ｓ１ｂが相互に接触する。これにより、当該間に１次シールＳ１Ａが構成される。また、建物の外壁を構成すべく第１，第２ユニットカーテンウォール１，２を並設すると、隣接する第１ユニットカーテンウォール１同士、隣接する第２ユニットカーテンウォール２同士、及び隣接する第１，第２ユニットカーテンウォール１，２同士の間で、圧接部Ｓ２ｂが相互に圧接される。これにより、当該間に２次シールＳ２Ａが構成される。そして、当該間には、１次シールＳ１Ａ及び２次シールＳ２Ａによって等圧空間Ｓｐが構成される。なお、１次シールＳ１Ａにおける接触ヒレ部Ｓ１ｂの相互接触力よりも２次シールＳ２Ａにおける圧接部Ｓ２ｂの相互圧接力が大きいのは言うまでもない。１次シールＳ１Ａよりも室外側となる部分は、室外の空気に連通され、２次シールＳ２Ａよりも室内側となる部分は、室内の空気に連通された状態となる。
【００２１】
また、室外側に配置されるブロック挿入部３２には、装着部３６が設けられている。
装着部３６は、枠材３０において、ブロック挿入部３２の室外に臨む見付け面３０ｃの第１枠体３の外周側に位置する部分から室外側に向けて延在したヒレ状部分である。なお、上枠材３０１及び下枠材３０２にそれぞれ設けられた各装着部３６は、上枠材３０１及び下枠材３０２と略同一の全長を有する。一方、左右の縦枠材３０３，３０４に設けられた各装着部３６は、左右の縦枠材３０３，３０４の下端から後述する第１無目枠材３０５の高さ位置まで延在している。すなわち、左右の縦枠材３０３，３０４の上方側には、装着部３６が設けられていない。
【００２２】
また、第１枠体３は、左右の縦枠材３０３，３０４の間をそれぞれ連結する第１，第２無目枠材３０５，３０６を備える。
これら第１，第２無目枠材３０５，３０６は、アルミニウム合金等の金属製の押出形材であり、全長に亘って略一様な断面形状を有する。
第１無目枠材３０５は、天井板材Ｃに対応した高さとなる位置に位置付けられる。この第１無目枠材３０５は、水平方向に沿って延在する角筒形状を有する。また、第１無目枠材３０５の室外に臨む見付け面３０ｄには、室外側に向けてヒレ状に延在した装着部３７が設けられている。なお、装着部３７は、第１無目枠材３０５と略同一の全長を有する。
第２無目枠材３０６は、上枠材３０１と第１無目枠材３０５との中間の高さとなる位置に位置付けられる。この第２無目枠材３０６は、水平方向に沿って延在する角筒形状を有する。
以上説明した枠材３０及び第１，第２無目枠材３０５，３０６は、本発明に係る枠部材に相当する。
【００２３】
第２パネル５は、複層ガラス（ガラス材）で構成されている。
ここで、下枠材３０２及び左右の縦枠材３０３，３０４にそれぞれ設けられた装着部３６、並びに、第１無目枠材３０５に設けられた装着部３７には、第２パネル５を挟持するための押縁３８が装着される。そして、第２パネル５は、下枠材３０２及び左右の縦枠材３０３，３０４の見付け面３０ｃと第１無目枠材３０５の見付け面３０ｄとに対向した状態で、当該見付け面３０ｃ，３０ｄと押縁３８との間に挟持される。これにより、第２パネル５は、第１枠体３において、下枠材３０２、左右の縦枠材３０３，３０４、及び第１無目枠材３０５で形成される開口を閉塞する。言い換えれば、第２パネル５は、居住空間Ｄを覆うように配設される。
なお、第２パネル５と押縁３８との間、及び第２パネル５と見付け面３０ｃ、３０ｄとの間には、ガスケットＧａ１，Ｇａ２がそれぞれ介装されている。
【００２４】
第１パネル４は、２つの第１パネル４Ａ，４Ｂを上下に並設させた構成を有する。
２つの第１パネル４Ａ，４Ｂは、内部に矩形状の中空部４１とリブ４２とを交互に並列した押出成形セメント板でそれぞれ構成されている。これら２つの第１パネル４Ａ，４Ｂは、中空部４１及びリブ４２の延在方向が水平方向となるようにそれぞれ配置される。
ここで、上方側に配置される第１パネル４Ａの下端には、水平方向に沿って延在する凹条溝４３が形成されている。一方、下方側に配置される第１パネル４Ｂの上端には、水平方向に沿って延在する突条部４４が形成されている。そして、第１パネル４Ａ，４Ｂは、凹条溝４３に突条部４４が嵌合した状態で互いに組み合わされる。
【００２５】
そして、第１パネル４Ａは、上枠材３０１及び左右の縦枠材３０３，３０４の見付け面３０ｃと第２無目枠材３０６の室外に臨む見付け面３０ｅとに対向した状態で、上枠材３０１の見込み面３０ａと第２無目枠材３０６の上方側の見込み面３０ｆとに対して、Ｌ字状のアングル材Ａｎ１を介して固定される。
また、第１パネル４Ｂは、第２無目枠材３０６の見付け面３０ｅ、左右の縦枠材３０３，３０４の見付け面３０ｃ、及び第１無目枠材３０５の見付け面３０ｄに対向した状態で、第２無目枠材３０６の下方側の見込み面３０ｇと、第１無目枠材３０５の上方側の見込み面３０ｈとに対して、Ｌ字状のアングル材Ａｎ２を介して固定される。
すなわち、第１パネル４Ａは、第１枠体３において、上枠材３０１、左右の縦枠材３０３，３０４、及び第２無目枠材３０６で形成される開口を閉塞する。また、第１パネル４Ｂは、第１枠体３において、第１，第２無目枠材３０５，３０６及び左右の縦枠材３０３，３０４で形成される開口を閉塞する。言い換えれば、第１パネル４は、天井裏空間Ｅを覆うように配設される。
なお、第１パネル４と見付け面３０ｃ，３０ｄ，３０ｅとの間には、止水材として機能するガスケットＧａ３がそれぞれ介装されている。また、第１パネル４と上枠材３０１の装着部３６との間は、不定形のシール材Ｓ３にて封止されている。さらに、第１パネル４と第１無目枠材３０５の装着部３７に装着された押縁３８との間は、不定形のシール材Ｓ４にて封止されている。また、２つの第１パネル４Ａ，４Ｂ間は、不定形のシール材Ｓ５にて封止されている。
【００２６】
また、２つの第１パネル４Ａ，４Ｂの室内側には、例えばアルミ複合板でそれぞれ構成された２つの止水板３９Ａ，３９Ｂがそれぞれ配置されている。
第１パネル４Ａの室内側に配置される止水板３９Ａは、上枠材３０１及び左右の縦枠材３０３，３０４の見込み面３０ａと第２無目枠材３０６の見込み面３０ｆとに対して、Ｌ字状のアングル材Ａｎ３を介して固定される。これにより、止水板３９Ａは、第１枠体３において、上枠材３０１、左右の縦枠材３０３，３０４、及び第２無目枠材３０６で形成される開口を閉塞し、室内側への漏水を防止する。
また、第１パネル４Ｂの室内側に配置される止水板３９Ｂは、第２無目枠材３０６の見込み面３０ｇと、左右の縦枠材３０３，３０４の見込み面３０ａと、第１無目枠材３０５の見込み面３０ｈとに対して、Ｌ字状のアングル材Ａｎ４を介して固定される。これにより、止水板３９Ｂは、第１枠体３において、第１，第２無目枠材３０５，３０６及び左右の縦枠材３０３，３０４で形成される開口を閉塞し、室内側への漏水を防止する。
【００２７】
第２ユニットカーテンウォール２は、本発明に係るユニットカーテンウォールに相当し、柱Ｇの室外側の領域、及び隣接する柱Ｇ同士の中間となる領域において、天井裏空間Ｅ及び居住空間Ｄを覆うように配設される。より具体的に、第２ユニットカーテンウォール２は、当該領域において、上下方向に連続して複数並設されている。この第２ユニットカーテンウォール２は、第２枠体６と、第１，第２パネル７Ａ，７Ｂとを備える。
【００２８】
第２枠体６は、本発明に係る枠体に相当する。この第２枠体６は、上枠材６０１、下枠材６０２、及び左右の縦枠材６０３，６０４を枠組みすることにより構成されている。
上枠材６０１は、上層の床スラブＢを構成する床材Ｈの上面に対応した高さとなる位置に位置付けられる。また、下枠材６０２は、下層の床スラブＢを構成する床材Ｈの上面に対応した高さとなる位置に位置付けられる。
これら上枠材６０１、下枠材６０２、及び左右の縦枠材６０３，６０４は、アルミニウム合金等の金属製の押出形材であり、装着部３６が形成されていない点以外は、枠材３０と同一の断面形状をそれぞれ有する。このため、上枠材６０１、下枠材６０２、及び左右の縦枠材６０３，６０４について、枠材３０と同一の構成についてはそれぞれ同一の符号を付す。
【００２９】
また、第２枠体６は、左右の縦枠材６０３，６０４の間をそれぞれ連結する無目枠材６０５を備える。
無目枠材６０５は、天井板材Ｃに対応した高さとなる位置に位置付けられる。この無目枠材６０５は、アルミニウム合金等の金属製の押出形材であり、装着部３７が形成されていない点以外は、第１無目枠材３０５と同一の断面形状を有する。このため、無目枠材６０５について、第１無目枠材３０５と同一の構成についてはそれぞれ同一の符号を付す。
以上説明した上枠材６０１、下枠材６０２、左右の縦枠材６０３，６０４、及び無目枠材６０５は、本発明に係る枠部材に相当する。
【００３０】
第１，第２パネル７Ａ，７Ｂは、内部に矩形状の中空部７１とリブ７２とを交互に並列した押出成形セメント板でそれぞれ構成されている。これら第１，第２パネル７Ａ，７Ｂは、中空部７１及びリブ７２の延在方向が上下方向となるようにそれぞれ配置される。
そして、第１パネル７Ａは、上枠材６０１及び左右の縦枠材６０３，６０４の見付け面３０ｃと無目枠材６０５の見付け面３０ｄとに対向した状態で、左右の縦枠材６０３，６０４の見込み面３０ａに対して、Ｌ字状のアングル材Ａｎ５を介して固定される。これにより、第１パネル７Ａは、第２枠体６において、上枠材６０１、左右の縦枠材６０３，６０４、及び無目枠材６０５で形成される開口を閉塞する。言い換えれば、第１パネル７Ａは、天井裏空間Ｅを覆うように配設される。
なお、第１パネル７Ａと見付け面３０ｃ，３０ｄとの間には、止水材として機能するガスケットＧａ４がそれぞれ介装されている。また、第１パネル７Ａと見付け面３０ｃ、３０ｄとの間において、ガスケットＧａ４に対して第２枠体６の外周側となる位置は、不定形のシール材Ｓ６にて封止されている。
【００３１】
また、第２パネル７Ｂは、下枠材６０２及び左右の縦枠材６０３，６０４の見付け面３０ｃと無目枠材６０５の見付け面３０ｄとに対向した状態で、左右の縦枠材６０３，６０４の見込み面３０ａに対して、Ｌ字状のアングル材Ａｎ６を介して固定される。これにより、第２パネル７Ｂは、第２枠体６において、下枠材６０２、左右の縦枠材６０３，６０４、及び無目枠材６０５で形成される開口を閉塞する。言い換えれば、第２パネル７Ｂは、居住空間Ｄを覆うように配設される。
なお、第２パネル７Ｂと見付け面３０ｃ，３０ｄとの間には、止水材として機能するガスケットＧａ５がそれぞれ介装されている。また、第２パネル７Ｂと見付け面３０ｃ，３０ｄの間において、ガスケットＧａ５に対して第２枠体６の外周側となる位置は、不定形のシール材Ｓ７にて封止されている。
【００３２】
また、第１，第２パネル７Ａ，７Ｂの室内側には、例えばアルミ複合板でそれぞれ構成された２つの止水板６１Ａ，６１Ｂがそれぞれ配置されている。
第１パネル７Ａの室内側に配置される止水板６１Ａは、上枠材６０１及び左右の縦枠材６０３，６０４の見込み面３０ａと無目枠材６０５の見込み面３０ｈとに対して、Ｌ字状のアングル材Ａｎ７を介して固定される。これにより、止水板６１Ａは、第２枠体６において、上枠材６０１、左右の縦枠材６０３，６０４、及び無目枠材６０５で形成される開口を閉塞し、室内側への漏水を防止する。
また、第２パネル７Ｂの室内側に配置される止水板６１Ｂは、下枠材６０２及び左右の縦枠材６０３，６０４の見込み面３０ａと無目枠材６０５の下方側の見込み面３０ｉとに対して、Ｌ字状のアングル材Ａｎ８を介して固定される。これにより、止水板６１Ｂは、第２枠体６において、下枠材６０２、左右の縦枠材６０３，６０４、及び無目枠材６０５で形成される開口を閉塞し、室内側への漏水を防止する。
【００３３】
さらに、第２パネル７Ｂの下端には、レインバリアＳ８が装着される装着部材６２が固定されている。
装着部材６２は、第２パネル７Ｂの下端全長に亘って延在する長尺状の部材であり、下方に向けて突出する一対の突起部６２１を備える。
レインバリアＳ８は、一対の突起部６２１間に装着されるシール基部Ｓ８ａから下方に向けて接触ヒレ部Ｓ８ｂが突出した定形のシール材である。
そして、建物の外壁を構成すべく第２ユニットカーテンウォール２を並設すると、接触ヒレ部Ｓ８Ｂが隣接する第２ユニットカーテンウォール２における第１パネル７Ａの上端に接触する。
【００３４】
（その他の実施の形態）
ここまで、本発明を実施するための形態を説明してきたが、本発明は上述した実施の形態によってのみ限定されるべきものではない。
上述した実施の形態では、本発明に係るユニットカーテンウォールとして、第１，第２パネル４，５（７Ａ，７Ｂ）の２つのパネルを有する第１ユニットカーテンウォール１（第２ユニットカーテンウォール２）を採用していたが、これに限らない。本発明に係るユニットカーテンウォールとしては、少なくとも押出成形セメント板で構成された１つのパネルを有していれば、パネルの数は、１つでも、３つ以上でも構わない。
上述した実施の形態では、止水板３９Ａ，３９Ｂ，６１Ａ，６１Ｂを採用していたが、止水板３９Ａ，３９Ｂ，６１Ａ，６１Ｂを省略した構成を採用しても構わない。
上述した実施の形態では、レインバリアＳ８は、上下方向に連続して並設される第２ユニットカーテンウォール２同士の目地部にのみ設けていたが、これに限らない。他の目地部（例えば、上下方向に連続して並設される第１ユニットカーテンウォール１同士の目地部等）にレインバリアＳ８を設けても構わない。
【符号の説明】
【００３５】
１，２  第１，第２ユニットカーテンウォール（ユニットカーテンウォール）、３  第１枠体（枠体）、４，４Ａ，４Ｂ，７Ａ  第１パネル、５，７Ｂ  第２パネル、６  第２枠体（枠体）、３９Ａ，３９Ｂ，６１Ａ，６１Ｂ  止水板、３０１，６０１  上枠材（枠部材）、３０２，６０２  下枠材（枠部材）、３０３，３０４，６０３，６０４  縦枠材（枠部材）、３０５，３０６  第１，第２無目枠材（枠部材）、６０５  無目枠材（枠部材）、Ｂ  床スラブ（建物躯体）、Ｓ６，Ｓ７  シール材、Ｓ８  レインバリア
【図１】
2019044557.tif 000003
【図２】
2019044557.tif 000004
【図３】
2019044557.tif 000005
【図４】
2019044557.tif 000006
【図５】
2019044557.tif 000007
【図６】
2019044557.tif 000008
【図７】
2019044557.tif 000009
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
複数の枠部材が枠組みされ、建物躯体に吊下げ支持可能な枠体と、
前記枠体に支持される第１パネルとを備え、
前記第１パネルは、
押出成形セメント板で構成され、
前記第１パネル及び前記枠体間は、
シール材にて止水され、
前記第１パネルの端面には、
隣接される他の前記ユニットカーテンウォールを構成する前記第１パネルとの間の目地部を封止するレインバリアが設けられている
ことを特徴とするユニットカーテンウォール。
【請求項２】
前記枠体に支持され、前記第１パネルに対して見付け方向に並設される第２パネルをさらに備え、
前記第２パネルは、
ガラス材で構成されている
ことを特徴とする請求項１に記載のユニットカーテンウォール。
【請求項３】
前記枠体に支持され、前記第１パネルに対して見付け方向に並設される第２パネルをさらに備え、
前記第２パネルは、
押出成形セメント板で構成されている
ことを特徴とする請求項１に記載のユニットカーテンウォール。
【請求項４】
前記枠体に支持され、前記第１パネルに対して室内側に並設される止水板をさらに備える
ことを特徴とする請求項１〜３のいずれか一つに記載のユニットカーテンウォール。
【手続補正２】
【補正対象書類名】明細書
【補正対象項目名】０００６
【補正方法】変更
【補正の内容】
【０００６】
上記目的を達成するため、本発明に係るユニットカーテンウォールは、複数の枠部材が枠組みされ、建物躯体に吊下げ支持可能な枠体と、前記枠体に支持される第１パネルとを備え、前記第１パネルは、押出成形セメント板で構成され、前記第１パネル及び前記枠体間は、シール材にて止水され、前記第１パネルの端面には、隣接される他の前記ユニットカーテンウォールを構成する前記第１パネルとの間の目地部を封止するレインバリアが設けられていることを特徴とする。
本発明では、押出成形セメント板は、建物躯体に吊下げ支持可能なユニットカーテンウォールのパネルとして採用されている。このため、押出成形セメント板を外壁材として施工するにあたって、従来のように、現場で建物躯体に下地鋼材等を取り付ける必要がない。また、建物周囲に足場を設置する必要もない。したがって、本発明に係るユニットカーテンウォールによれば、押出成形セメント板を外壁材として施工するにあたって、作業性を向上させることができる、という効果を奏する。
ところで、押出成形セメント板は、その製法により、表裏面や端面の面精度が比較的に高いものである。このため、枠体と押出成形セメント板との間は、シール材等を用いることにより、室内側への漏水対策を施すことができる。また、第１パネル及び枠体間をシール材にて止水した場合には、隣接される他のユニットカーテンウォールを構成する第１パネルとの間の目地部を介して、当該シール材が汚染されてしまう虞がある。
本発明では、第１パネルの端面には、隣接される他のユニットカーテンウォールを構成する第１パネルとの間の目地部を封止するレインバリアが設けられている。このため、当該レインバリアにより、シール材の汚染を防止することができる。
【手続補正３】
【補正対象書類名】明細書
【補正対象項目名】０００９
【補正方法】変更
【補正の内容】
【０００９】
また、本発明は、上述したユニットカーテンウォールにおいて、前記枠体に支持され、前記第１パネルに対して室内側に並設される止水板をさらに備えることを特徴とする。
本発明では、ユニットカーテンウォールは、押出成形セメント板で構成された第１パネル板に対して室内側に止水板が並設されている。このため、上述した枠体と第１パネルとの間に設けたシール材等と当該止水板とを併用することで、室内側への漏水対策を十分に施すことができる。
【手続補正４】
【補正対象書類名】明細書
【補正対象項目名】００１０
【補正方法】削除
【補正の内容】